(57)【要約】本発明は、送信装置と受信用ユーザー機器との間のデータファイルの転送方法に関する。この方法は、転送方法および／または受信用ユーザー機器に関する情報に基づいて、データファイルが変更されるべきか否かを判定するステップを含む。また、データファイルが変更されるべきであることが検出されると、それに応じて、前記情報に基づき、データファイルは転送に適した形式に変更される。データファイルは、送信装置から受信用ユーザー機器に転送される。ある実施態様では、転送されるデータファイルは画像ファイルであり、送信装置はデジタルカメラである。画像ファイルは、転送用にリサイズおよびリスケーリングされることが可能である。【選択図】図１
2007528541.tif 000002
【特許請求の範囲】
【請求項１】
送信装置と受信用ユーザー機器との間のデータファイルの転送方法であって、
転送方法および／または受信用ユーザー機器に関する情報に基づいて、前記データファイルが変更されるべきであるか否かを判定するステップと、
前記データファイルが変更されるべきであることを検出すると、それに応じて、前記情報に基づいて前記データファイルを転送に適した形式に変更するステップと、
前記データファイルを前記送信装置から前記受信用ユーザー機器に転送するステップとを含む、データファイルの転送方法。
【請求項２】
複数のデータファイルから転送されるべきデータファイルを選択するステップをさらに含む、請求項１に記載の方法。
【請求項３】
前記判定するステップは、前記送信装置によって前記判定を実行するステップを含む、請求項１または２に記載の方法。
【請求項４】
前記変更するステップは、元のデータファイルの複製データファイルを作成するステップと、前記複製データファイルを変更するステップとをさらに含む、上記請求項のいずれかに記載の方法。
【請求項５】
前記変更するステップは、前記転送方法の能力制限に基づいて前記データファイルを変更するステップを含む、上記請求項のいずれかに記載の方法。
【請求項６】
前記変更するステップは、前記転送方法が対応する最大ファイルサイズに基づいて前記データファイルを変更するステップを含む、請求項５に記載の方法。
【請求項７】
前記変更するステップは、前記受信用ユーザー機器の能力制限に基づいて前記データファイルを変更するステップを含む、上記請求項のいずれかに記載の方法。
【請求項８】
前記変更するステップは、前記受信用ユーザー機器が対応する最大ファイルサイズに基づいて前記データファイルを変更するステップを含む、請求項７に記載の方法。
【請求項９】
前記変更するステップは、前記データファイルを圧縮するステップを含む、上記請求項のいずれかに記載の方法。
【請求項１０】
前記データファイルを転送するステップは、画像ファイルを転送するステップを含む、上記請求項のいずれかに記載の方法。
【請求項１１】
前記変更するステップは、前記画像ファイルをリサイズするステップを含む、請求項１０に記載の方法。
【請求項１２】
前記変更するステップは、前記リサイズした画像ファイルをリスケーリングするステップをさらに含む、請求項１１に記載の方法。
【請求項１３】
前記変更するステップは、前記データファイルのフォーマットを変えるステップを含む、上記請求項のいずれかに記載の方法。
【請求項１４】
前記送信装置において前記転送方法に関する指示を取得するステップをさらに含む、上記請求項のいずれかに記載の方法。
【請求項１５】
前記転送方法に関する指示を取得するステップは、前記データファイルを前記受信用ユーザー機器に転送できるアクティブ転送方法を前記送信装置によって判断するステップを含む、請求項１４に記載の方法。
【請求項１６】
前記転送方法に関する指示を取得するステップは、前記受信用ユーザー機器によって送信された前記指示を、前記送信装置において受信するステップを含む、請求項１４に記載の方法。
【請求項１７】
前記転送方法に関する指示を取得するステップは、転送方法のリストを前記送信装置のユーザーに表示するステップと、前記ユーザーが前記リストに属する指示を選択できるようにするステップとを含む、請求項１４に記載の方法。
【請求項１８】
前記送信装置において前記受信用ユーザー機器に関する指示を取得するステップをさらに含む、上記請求項のいずれかに記載の方法。
【請求項１９】
前記受信用ユーザー機器に関する指示を取得するステップは、前記受信用ユーザー機器によって送信された前記指示を、前記送信装置において受信するステップを含む、請求項１８に記載の方法。
【請求項２０】
前記受信用ユーザー機器に関する指示を取得するステップは、受信用ユーザー機器のリストを前記送信装置のユーザーに表示するステップと、前記ユーザーが前記リストに属する指示を選択できるようにするステップとを含む、請求項１８に記載の方法。
【請求項２１】
コンピュータプログラムであって、前記プログラムが計算手段で実行されているときに、請求項１乃至２０のいずれかに記載のステップを実行するためのプログラムコード手段を含む、コンピュータプログラム。
【請求項２２】
データファイルを前記装置から受信用ユーザー機器に転送するために前記受信用ユーザー機器と通信し、
転送方法および／または受信用ユーザー機器に関する情報に基づいて、前記データファイルが変更されるべきであるか否かを判定し、
前記データファイルが変更されるべきであることを検出すると、それに応じて、前記情報に基づいて前記データファイルを転送に適した形式に変更し、
前記データファイルを前記受信用ユーザー機器に転送するように構成される、装置。
【請求項２３】
変更に使用される元のデータファイルの複製データファイルを作成するように構成される、請求項２２に記載の装置。
【請求項２４】
前記データファイルを圧縮することによって前記変更を行う、請求項２２または２３に記載の装置。
【請求項２５】
前記データファイルは画像ファイルである、請求項２２乃至２４のいずれかに記載の装置。
【請求項２６】
前記画像ファイルをリサイズすることによって前記変更を行うように構成される、請求項２５に記載の装置。
【請求項２７】
前記リサイズした画像ファイルをリスケーリングすることによって前記変更を行うように構成される、請求項２６に記載の装置。
【請求項２８】
前記データファイルのフォーマットを変えることによって前記変更を行う、請求項２２乃至２７のいずれかに記載の装置。
【請求項２９】
前記情報を前記受信用ユーザー機器に転送できるアクティブ転送方法を判断するようにさらに構成される、請求項２２乃至２８のいずれかに記載の装置。
【請求項３０】
前記受信用ユーザー機器から前記転送方法および／または前記受信用ユーザー機器の指示を受信するようにさらに構成される、請求項２２乃至２８のいずれかに記載の装置。
【請求項３１】
請求項２２乃至２８のいずれかに記載の装置であって、転送方法および／または前記受信用ユーザー機器のリストを前記装置のユーザーに表示し、ユーザーが前記リストに属する指示を選択できるようにするようにさらに構成される、装置。
【請求項３２】
データファイルを前記装置から受信用ユーザー機器に転送するための転送手段と、
転送方法および／または受信用ユーザー機器に関する情報に基づいて、前記データファイルが転送前に変更されるべきか否かを判定する手段と、
前記データファイルが変更されるべきであることを検出すると、それに応じて、前記情報に基づいて前記データファイルを転送に適した形式に変更する手段とを含む、装置。
【請求項３３】
ユーザー機器であって、前記ユーザー機器と独立した装置との間で使用可能な転送方法に関する指示、および／または前記ユーザー機器に関する指示を前記独立した装置に提供するように構成される、ユーザー機器。
【請求項３４】
データファイルを送信装置から受信用ユーザー機器に転送するように構成される配置であって、
転送方法および／または受信用ユーザー機器に関する情報に基づいて、前記データファイルが変更されるべきか否かを判定し、
前記データファイルが変更されるべきであることを検出すると、それに応じて、前記情報に基づいて前記データファイルを転送に適した形式に変更するようにさらに構成される、配置。
【請求項３５】
前記受信用ユーザー装置は、モバイルユーザー機器、移動局、および携帯情報端末のうちの１つを備える、請求項３４に記載の配置。
【請求項３６】
前記送信装置は、デジタルカメラを備える、請求項３４または３５に記載の配置。
【請求項３７】
前記転送手段は、汎用シリアルバスポート接続、Pop−Port接続、他の直流電気（ガルバニック）接続、Bluetooth接続、赤外線接続、無線ローカルエリアネットワーク接続、他の無線接続、ダイレクトコネクタ接続、または光学接続を含む群から選択される、請求項３４乃至３６のいずれかに記載の配置。
【請求項３８】
前記送信装置および前記受信用ユーザー機器は、スタンドアロン装置である、請求項３４乃至３７のいずれかに記載の配置。
【発明の詳細な説明】
【技術分野】
【０００１】
本発明は、通信システムに関し、特に、送信装置と受信用ユーザー機器との間のデー転送に関する。
【背景技術】
【０００２】
通信システムでは、通信システムに関連するユーザー機器および／または他のノードなどの２つ以上のエンティティが、互いに通信することが可能である。通信システムは、公衆交換電話網（Public  Switched  Telephone  Network；PSTN）のような固定型であるか、または、移動体通信用グローバルシステム（Global  System  for  Mobile  Communication；GSM）のような、もしくは汎用パケット無線システム（General  Packet  Radio  Service；GPRS）、ユニバーサル移動通信システム（Universal  Mobile  Communication  System；UMTS）などの第三世代規格、そして広域帯符号分割多重アクセス方式（Wideband  Code  Division  Multiple  Access；WCDMA）に基づいた他の通信システムといったGSMベースのシステムのような移動型であってもよい。通信システムは、ローカルエリアネットワーク（LAN）規格に基づいてもよい。
【０００３】
ユーザーなどの通信システムのサブスクライバには、双方向または多方向通話、データ通信、またはマルチメディアサービスなどの数多くのサービスを提案または提供することが可能である。通信システムは、通話機能に加えて、例えば、ショートメッセージサービス（SMS）、マルチメディアメッセージサービス（MMS）、および、無線アプリケーションプロトコル（Wireless  Applications  Protocol；WAP）に対応することが可能である。ユーザーは、パーソナルコンピュータ（PC）、携帯情報端末（Personal  Digital  Assistant；PDA）、移動局（Mobile  Station；MS）などのユーザー機器によって通信システムのネットワークにアクセスすることが可能である。
【０００４】
ユーザー機器は、第１のユーザー機器と互換である、カメラまたは音楽プレーヤなどの更なるユーザー機器または他の装置と通信することが可能である。互換装置は、限定するものではないが、汎用シリアルバス（Universal  Serial  Bus；USB）ポート、Pop−Portインターフェースなどの直流電気（ガルバニック）接続、Bluetooth、赤外線、無線ローカルエリアネットワーク（WLAN）などの無線接続、光学接続、およびダイレクトコネクタ接続などを含む様々な接続を使用して、ユーザー機器に接続することが可能である。
【０００５】
ユーザー機器はまた、特定のユーザー機器と協働するように構成された装置に接続できることが望ましい。例えば、デジタルカメラは、静止画または動画の画像ファイルの作成に好都合に使用することが可能である。デジタルカメラは、例えば、最高３メガピクセル（Mp）の解像能力を有することが可能である。このような３Mpのデジタルカメラを使用して得られた画像ファイルは、そのカメラの設定により約60kB乃至数メガバイトまでさまざまに変化しうる。ユーザーは、高解像度、すなわち数メガバイトの画像を撮影することがしばしばある。一般的に、画像ファイルは、PCまたは当該の比較的高容量の受信用ユーザー機器に転送することが可能である。当該の比較的高容量の受信用ユーザー機器は、必ずしもそのデジタルカメラと互換性を有するように構成する必要はない。
【０００６】
しかし、画像ファイルなどのファイルは、デジタルカメラなどの送信装置から、より容量が制限された受信用ユーザー機器、特にMSまたはPDA、画像ビューアなどのモバイルユーザー機器に送信できることも望ましい。こうした送信は可能ではあるが、一般的にユーザーが手動で介入しなければならず、非常に複雑になる場合がある。送信装置のユーザーは、受信用ユーザー機器のタイプおよび受信用ユーザー機器の可能な制限、または、それぞれ使用する転送方法に関するタイプおよび可能な制限を知っておくことが必要になる場合がある。ユーザーは、その転送方法および／または受信用ユーザー機器によって設定される要件にファイルを適応させるために、そのファイルを手動で変更することが必要になる場合がある。
【０００７】
したがって、装置間のデータ転送方法の改善が必要である。
【発明の開示】
【０００８】
本発明の実施態様は、上述の問題点のうちの１つまたは複数に対処することを目標としている。
【０００９】
本発明の一側面によれば、送信装置と受信用ユーザー機器との間のデータファイルの転送方法が提供される。前記方法は、転送方法および／または受信用ユーザー機器に関する情報に基づいて、データファイルが変更されるべきであるか否かを判定するステップを含む。また、この方法は、データファイルが変更されるべきであることを検出すると、それに応じて、前記情報に基づいてデータファイルを転送に適した形式に変更するステップを含む。さらに、この方法は、このデータファイルを送信装置から受信用ユーザー機器に転送するステップを含む。
【００１０】
本発明の更なる側面によれば、コンピュータプログラムであって、このプログラムが計算手段で実行されているときに本発明によるステップを実行するためのプログラムコード手段を含む、コンピュータプログラムが提供される。
【００１１】
本発明の更なる側面によれば、データファイルを装置から受信用ユーザー機器に転送するために受信用ユーザー機器と通信するように構成される装置が提供される。前記装置は、転送方法および／または受信用ユーザー機器に関する情報に基づいて、データファイルが変更されるべきであるか否かを判定するように構成される。さらに前記装置は、データファイルが変更されるべきであることを検出すると、それに応じて、前記情報に基づいてデータファイルを転送に適した形式に変更するように構成される。前記装置はまた、データファイルを受信用ユーザー機器に転送するように構成される。
【００１２】
本発明の更なる側面によれば、ユーザー機器と独立した装置との間で使用可能な転送方法に関する指示、または前記ユーザー機器に関する指示を、この独立した装置に提供するように構成されるユーザー機器が提供される。
【００１３】
本発明の更なる側面によれば、データファイルを送信装置と受信用ユーザー機器との間で転送するように構成される配置が提供される。前記配置は、転送方法および／または受信用ユーザー機器に関する情報に基づいて、データファイルが変更されるべきか否かを判定するようにさらに構成される。さらに、前記配置は、データファイルが変更されるべきであることを検出すると、それに応じて、前記情報に基づいてデータファイルを転送に適した形式に変更するように構成される。
【００１４】
ある実施態様では、転送されるデータファイルは、複数のデータファイルから選択することが可能である。
【００１５】
前記判定するステップは、送信装置によって行われることが好ましい。
【００１６】
ある実施態様では、前記変更するステップは、元のデータファイルの複製データファイルを作成するステップをさらに含むことが可能である。
【００１７】
ある実施態様では、前記変更するステップは、転送方法の能力制限に基づいてデータファイルを変更するステップを含むことが可能である。データファイルは、転送方法が対応する最大ファイルサイズに基づいて変更されることが可能である。
【００１８】
ある実施態様では、前記変更するステップは、受信用ユーザー機器の能力制限に基づいてデータファイルを変更するステップを含むことが可能である。データファイルは、受信用ユーザー機器が対応する最大ファイルサイズに基づいて変更されることが可能である。
【００１９】
前記変更するステップは、データファイルを圧縮するステップを含むことが可能である。ある実施態様では、前記変更するステップは、データファイルのフォーマットを変えるステップを含むことが可能である。例えば、データファイルは、転送方法または受信機器に関する情報に基づいて、JPEGからGIFの画像フォーマットに変更されることが可能である。
【００２０】
ある実施態様では、転送されるデータファイルは、画像ファイルである。前記変更するステップは、また、画像ファイルをリサイズするステップを含むことが可能である。前記変更するステップは、リサイズした画像ファイルをリスケーリングするステップをさらに含むことが可能である。
【００２１】
ある実施態様では、転送されるデータファイルは、画像ファイルである。前記変更するステップは、また、データファイルのフォーマットを非JPEGからJPEGフォーマットに変更し、さらに、前記画像サイズがMMSメッセージのように、前記受信用ユーザー機器による以降のメッセージの送信に適切ではない場合に、前記画像をリサイズすることが可能である。
【００２２】
ある実施態様では、送信装置は、転送方法に関する指示を取得することが可能である。ある実施態様では、前記指示は、データファイルを受信用ユーザー機器に転送できるアクティブ転送方法を送信装置で判断することによって取得されることが可能である。ある実施態様では、前記指示は、受信用ユーザー機器によって送信された指示を送信装置において受信することによって取得されることが可能である。ある実施態様では、前記指示は、送信方法のリストを送信装置のユーザーに表示し、ユーザーがリストに属する指示を選択できるようにすることによって取得されることが可能である。
【００２３】
ある実施態様では、送信装置は、受信用ユーザー機器に関する指示を取得することが可能である。ある実施態様では、この指示は、受信用ユーザー機器によって送信された指示を送信装置において受信することによって取得されることが可能である。ある実施態様では、前記指示は、受信用ユーザー機器のリストを送信装置のユーザーに表示し、ユーザーがリストに属する指示を選択できるようにすることによって取得されることが可能である。
【００２４】
受信用ユーザー機器は、モバイルユーザー機器、移動局、および携帯情報端末のうちの１つを備えることが可能である。
【００２５】
送信装置は、デジタルカメラを備えることが可能である。
【００２６】
転送方法は、汎用シリアルバスポート接続、Pop−Port接続、他の直流電気（ガルバニック）接続、Bluetooth接続、赤外線接続、無線ローカルエリアネットワーク接続、他の無線接続、ダイレクトコネクタ接続、または光学接続を含む群から選択されることが可能である。
【好適な実施形態の詳細な説明】
【００２７】
以下、実施例および添付図面を参照して本発明を一例として詳述する。図１は、送信装置１０としてのデジタルカメラ、および送信用ユーザー機器１２としての移動局の配置の例を示す。送信装置１０および受信用ユーザー機器１２は、ローカル転送方法などの転送方法１４を使用して、例えば、Bluetoothなどの無線技術を使用したエアインターフェースを通じて互いに通信する。転送方法１４は、いくつかの例を上述した、例えば、無線リンク、直流電気（ガルバニック）接続、またはダイレクトコネクタ接続などのあらゆる適切なローカルスケールの転送方法であってよい。
【００２８】
説明の便宜上、例示のために、デジタルカメラおよび移動局を前記送信装置および受信装置として使用していると理解されたい。これらの装置は、その装置間でのファイルの転送に適した他の装置であってもよい。これらの装置は、互いに互換性を有するように構成する必要はない。これらの装置は単独で機能する、すなわちスタンドアロンの装置である。本願明細書に記載された本発明の実施態様は、主に画像ファイルの転送について説明しているが、ファイルは、音楽ファイルまたはマルチメディアファイルなどの他の適切なファイルであってもよい。
【００２９】
送信装置１０とは非互換の受信用ユーザー機器１２にファイルを転送する前に、転送方法および／または受信用ユーザー機器の特定の制限などの特性を知っておく必要がある。転送方法および／または受信用ユーザー機器は、例えばファイルサイズに関する制限を有する場合がある。受信用ユーザー機器の保存容量は、転送を必要とするファイルより少ない場合がある。いくつかの受信用ユーザー機器では、例えばMMSメッセージなどのメッセージを送信するような更なる動作が、例えば、約32kBなどの特定のファイルサイズに制限される場合がある。元の画像ファイルが、例えば約1.2MBと、数倍大きい場合がある。
【００３０】
ファイルをデジタルカメラなどの送信装置から移動局などの受信用ユーザー機器に送信できるようにするために、送信装置では、その制限に適合するようにファイルをリサイズする必要がある。転送ファイルから許容可能な画像を再び取得するために、リスケールすることが必要になる場合がある。例えば、１．２MBの元の画像ファイルを32kBの画像ファイルにリサイズしてしまうと、詳細および色情報の重要な部分が失われる場合がある。リスケーリング後は、元の画像とほぼ同じものを見ることができるが、その大きさは小さくなっている。他の適切なデータ圧縮方法を使用することも可能である。
【００３１】
ある実施態様では、受信用ユーザー機器から受信した方法に基づいて、データファイルのフォーマットを変えることが可能である。例えば、受信用ユーザー機器において上述のMMSメッセージの送信など、更なる動作を行う場合、好適なファイルフォーマットはJPEG規格に基づいてフォーマットされた画像ファイルであるが、元のデータファイルは、非圧縮かつ未加工のRAW画像フォーマットによってフォーマットされている場合がある。したがって、移動局などの受信用ユーザー機器からの情報の受信に応じて、デジタルカメラなどの送信装置は、RAW画像ファイルをJPEG画像ファイルに再フォーマットすることが可能であり、場合によって、そのファイルを受信用ユーザー機器に転送する前にリサイズすることが可能である。
【００３２】
別の実施例では、元のデータファイルはJPEG画像ファイルであり、受信用ユーザー機器はGIF画像ファイルのみに対応するコンタクトデータベースを含むことが可能である。送信装置は、受信用ユーザー機器から受信した情報に基づいて、JPEG画像ファイルをGIFフォーマットに変換することが必要か否かを判定することが可能である。次いで、送信装置は、ファイルを受信用ユーザー機器に送信する前に、変換を実行する。次いで、受信用ユーザー機器に転送されたGIF画像ファイルは、コンタクトデータベースの記録に追加される。
【００３３】
受信用ユーザー機器と送信装置との間の通信を向上させるために、プロシージャを実行することが可能であることに気づくであろう。それによって、ファイル転送を向上させ、部分的または完全に自動化することが可能である。
【００３４】
図２は、送信装置と受信用ユーザー機器との間のデータファイル転送のための本発明の実施態様を示したフローチャートである。データは、複数のデータファイルから選択することができる。ステップ２００で、転送方法および／または受信用ユーザー機器に関する情報に基づいて、データファイルが変更されるべきであるか否かが判定される。前記判定するステップは、送信装置によって行われることが好ましい。データファイルを変更する必要性を検出すると、それに応じて、ステップ２０２で、前記情報に基づいてそのデータファイルが転送に適した形式に変更される。好適な実施態様では、変更するステップにおいて、元のデータファイルの複製データファイルが作成され、その複製データファイルが変更される。ステップ２０４で、データファイルは送信装置から受信用ユーザー機器に転送される。
【００３５】
ある実施態様では、転送方法および／または受信機器は、ファイルサイズに関して、転送されるデータのサイズよりも小さい容量を有する場合がある。したがって、データの変更は、転送するデータのサイズの削減を含むことが可能である。いくつかの実施態様を以下の記述において説明する。他の適切な方法を使用することも可能である。
【００３６】
本実施態様の種々のステップには、受信装置に導入され、いくつかの実施態様では送信装置にも導入されているプログラムコード手段を含む、コンピュータプログラムが必要となる場合がある。
【００３７】
さらに、本発明の実施態様に従って動作するように構成される装置が提供される。いくつかの実施形態では、送信装置における変更は必要ではないが、受信装置、すなわち受信用ユーザー機器が、全ての必要な情報および機能を提供する。いくつかの実施形態では、その機能を、送信装置と受信装置との間において適切な様態で共有することが可能である。これらの代替例は、以下の説明から明らかになろう。
【００３８】
デジタルカメラなどの送信装置１０では、ギャラリーとも呼ばれる装置メニューは、一般的に、所望の画像を選択する能力や、いくつかの編集機能などを提供する。本発明の実施態様では、装置メニューには、ファイルを選択し、選択されたファイルが受信用ユーザー機器１２に転送されるべきであると指示するための機能を具備することが可能である。装置メニューの選択および指示機能は、Pop−Port、USBなどの直流電気（ガルバニック）接続、またはBluetooth、赤外線、またはWLANなどの無線接続、光学接続、ダイレクトコネクタ接続などの、使用する転送方法を選択および／または指示する能力をさらに含むことが可能である。次いで、送信装置１０は、ファイルを送信用ユーザー機器１２に送信するためのファイル転送プロシージャを自動的に開始することが可能である。
【００３９】
ある実施態様では、ユーザーには、ファイル転送プロシージャを開始する能力、また、任意でファイル転送プロシージャ中に選択を行う能力が与えられる場合がある。例えば、ユーザーが、例えば適切なキーを押したり、選択したオプションをハイライトさせたりすることによって選択される、オプションの受け入れまたはオプションの取り消し、あるいは別の適切なオプションなどの少なくとも１つのオプションをユーザーに表示することが可能である。当該の種々の選択技術は当業者によく知られているため、本願明細書では詳述しないこととする。
【００４０】
送信装置１０と受信用ユーザー機器１２との間の通信セッションは、２つのいずれから開始されてもよい。ある実施態様では、送信装置は、好ましくは自動的に、ファイル転送の準備に必要な情報のクエリーを行う。送信装置は、送信装置１０と受信用ユーザー機器１２との間でアクティブである、またはアクティブになる転送方法のタイプを判断することが可能である。次いで、送信装置１０は、転送方法に関する可能な制限または他の条件を認識することが可能である。その認識は、送信装置に存在するプロトコルによって作成されることが可能である。ある実施態様では、送信装置には、転送方法および／または受信用ユーザー機器に関する可能な制限の情報を提供する、移動局のメッセージングアプリケーションプログラミングインタフェース（API）などの情報サイトへのアクセスが提供されている場合がある。
【００４１】
ある実施態様では、受信用ユーザー機器１２が、受信用ユーザー機器１２と送信装置１０との間の通信セッションを開始する。受信用ユーザー機器は、Pop−Port、USBなどの直流電気（ガルバニック）接続、または赤外線、Bluetooth、またはWLANなどの無線接続、光学接続またはダイレクトコネクタ接続などの、使用する転送方法の情報を送信装置に提供することが可能である。ファイルのサイズ、解像度などの受信用ユーザー機器および／または前記転送方法に関する特性の情報も提供することが可能である。例えば、受信用ユーザー機器は、全ての必要な情報を含む情報ファイルを送信することが可能である。別様には、転送方法の指示および／または受信用ユーザー機器のタイプだけを提供することが可能である。
【００４２】
いくつかの実施形態では、例えば、送信装置１０自身がアクティブ転送方法を判断する場合か、または受信用ユーザー機器１２が上述のように指示を送信装置に送信する場合に、送信装置には、異なる可能な転送方法および／または受信用ユーザー機器のリストが提供される。かかるリストは、転送方法および／または受信用ユーザー機器によって設定される制限に適合させるために、ファイルを変更するための詳細、または複製ファイルを提供することが可能である。このリストは、例えば、メーカーまたはユーザーによって、あるいは別の適切な方法で、ソフトウェアの一部として提供されることが可能である。
【００４３】
制限は、送信装置１０と受信用ユーザー機器１２との間で使用される転送方法によって設定されることが可能である。また、受信用ユーザー機器１２も制限を設定することが可能である。この制限は、転送方法または受信用ユーザー機器の容量に関連していてよく、例えば、前記転送方法または前記受信用ユーザー機器が対応する最大ファイルサイズを示すことが可能である。
【００４４】
さらに、ある実施態様では、受信用ユーザー機器１２は、ファイルの変更が必要か否かを判定するために、ソフトウェアの一部などのツールを送信装置１０に提供することが可能である。別様には、送信装置には、ファイル転送を開始する前にメーカーまたはユーザーによって、例えばソフトウェアの一部としての判定情報が提供される。
【００４５】
別様には、ユーザーは、受信用ユーザー機器１２に関する情報を送信装置１０に提供することが可能である。例えば、異なる転送方法および異なるタイプの可能な受信用ユーザー機器を選択するために、リストがユーザーに表示されることが可能である。
【００４６】
送信装置１０に提供される必要な情報は、受信用ユーザー機器１２および／または転送方法１４に依存する場合がある。画像ファイル転送の場合、必要な情報は、転送方法および受信用ユーザー機器が対応する解像度およびファイルサイズであるかも知れない。例えば、Pop−Portインターフェースは、最大60kBのファイルサイズしか転送させないことが可能である。受信用ユーザー機器は、例えばそのファイルが効率的な方法でさらに変更または転送されることが可能なように、制限を設定することが可能である。ある実施態様では、受信用ユーザー機器は、最大サイズのMMSメッセージなどのメッセージ送信に対応することが可能である。例えば、６４０×４８０ピクセルのビデオグラフィックスアレイ（VGA）解像度で、最大サイズが32kBの画像ファイルに、元の画像の解像度およびファイルサイズに関わらず対応することが可能である。別の実施例のように、PCおよびプリンタ以外の他の装置に対して、Bluetooth接続は、６４０×４８０ピクセルのVGA解像度で最大サイズが100kBの画像ファイルしか転送させないことが可能である。音楽ファイルなどの他のタイプのファイル転送の場合は、例えばファイルサイズが制限される場合がある。
【００４７】
送信装置１０は、転送タイプおよび／または受信用ユーザー機器に関する情報に基づいて、転送されるファイルがリサイズおよび／またはリスケーリングなどの変更を必要とするか否かを判定する。判定は、自動的に行われることが好ましい。
【００４８】
送信装置が、転送されるファイルは、リサイズおよび／またはリスケーリング、あるいは変更を必要とするか、または指示されたと判定した場合、送信装置は、元のファイルの複製ファイルを作成することが好ましい。複製ファイルの作成によって元のファイルは何も変更されないので、元のファイルは、送信装置に残すことが可能である。ファイル転送が完了すると、複製ファイルは、例えば送信装置の保存容量を節約するために、自動的または手動で送信装置から削除されてよい。
【００４９】
別様には、元のファイルは、最初に複製ファイルを作成する代わりに、直接変更されることが可能である。しかし、このような実施態様は、元のファイルが失われるので不都合である。
【００５０】
送信装置は、受信用ユーザー機器に関する情報に基づいて、ファイル転送に適するようにファイル、好ましくは複製ファイルを変更する。ファイルは、上述のようにリサイズおよび／またはリスケーリングされることが可能である。したがって、例えば、画像ファイルに元のアスペクト比を保持しておくことができる。
【００５１】
ファイル変更は、自動的に行われることが好ましい。別様には、上述のように、ユーザーに選択を行う能力が提供されてもよい。
【００５２】
ファイル転送に適したファイル、好ましくは複製ファイルを作成した後、送信装置１０は、ユーザーが選択したか、送信装置によって判断されたか、受信用ユーザー機器によって通知されたか、または他の方法で得られた転送方法を使用して、受信用ユーザー機器１２へのファイルの送信を開始する。受信用ユーザー機器１２は、ファイルまたは複製ファイルを受信する。受信したファイルは、受信用ユーザー機器において適切な方法でさらに変更されることが可能である。例えば、画像ファイルは、元のサイズまたは別の所望のサイズにリサイズおよび／またはリスケーリングされることが可能である。ファイルは、例えば電子メールまたはMMSを使用して、さらに送信されることが可能である。
【００５３】
本発明の実施態様は、デジタルカメラなどの送信デバイスのユーザーインターフェースおよびユーザーの操作を簡素化することが可能である。ユーザーは、受信用ユーザー機器および転送方法に関する制限をほとんどまたは全く知らなくてもよい。「他の装置への画像の送信」などの動作の成功率およびユーザーが成功と認識する割合が高くなるので、前記動作をうまく行うことについて、よりよいユーザーの操作およびユーザーの満足感がもたらされる。この方法はまた、例えば、デジタルカメラがメッセージの送信に使用されるユーザー機器に付属していない場合に、そのデジタルカメラで撮影した画像を使用して、MMSメッセージなどのメッセージを送信する閾値も実質的に減じることが可能である。
【００５４】
本発明は、特定の実施態様の内容において述べているが、添付の請求の範囲に記載されているような本発明の範囲および精神から逸脱することなく様々な変更が可能である。例えば、通信システムは、あらゆる適切な通信システムであってよい。上述の実施例に制限されず、送信装置および受信装置はあらゆる適切な装置であってよく、また転送技術はあらゆる適切な技術であってよい。
【図面の簡単な説明】
【００５５】
【図１】本発明の実施態様を実装することが可能な配置の一例を示す。
【図２】本発明の実施態様のフローチャートを示す。
【図１】
2007528541.tif 000003
【図２】
2007528541.tif 000004
【国際調査報告】
2007528541.tif 000005
2007528541.tif 000006